(57)【要約】【課題】顧客がクレジットカードを利用して通信販売により商品を購入する際、クレジットカード情報の第三者への漏洩の危険度を低減した通信販売システム、その方法、およびそのプログラムを提供する。【解決手段】顧客端末１０と通信販売会社のサーバコンピュータ２０とクレジットカード発行会社の決済コンピュータ３０とをインターネット１００を介して接続し、顧客がクレジットカード４０を利用して商品を購入する際、クレジットカード番号４３を第一カード番号４３１と第二カード番号４３２とに２分割し、顧客端末１０から商品を注文するとき、第一カード番号４３１を入力してサーバコンピュータ２０に通知し、商品を受け取ったとき、第二カード番号４３２を入力してサーバコンピュータ２０に通知する。【選択図】　　　図１
2004030126.tif 000002
【特許請求の範囲】
【請求項１】
通信手段を介して互いに各種情報の授受を行なう顧客端末と商品販売者のバーチャルショップが開設された通信販売会社のサーバコンピュータとクレジットカード発行会社の決済コンピュータとを有し、顧客がクレジットカードを利用して商品を購入する通信販売システムであって、顧客は、クレジットカード番号を第一カード番号と第二カード番号とに分割する２分割手段を有し、前記顧客端末は、商品を注文するとき前記第一カード番号を入力して前記通信販売会社に通知する手段と、商品を受け取ったとき前記第二カード番号を入力して前記通信販売会社に通知する手段とを有することを特徴とする通信販売システム。
【請求項２】
通信手段を介して互いに各種情報の授受を行なう顧客端末と商品販売者のバーチャルショップが開設された通信販売会社のサーバコンピュータとクレジットカード発行会社の決済コンピュータとを有し、顧客がクレジットカードを利用して商品を購入する通信販売システムであって、前記サーバコンピュータは、各種商品の内容を包含した商品情報と、顧客の注文情報を管理する管理番号とを有し、顧客は、クレジットカード番号を第一カード番号と第二カード番号とに分割する２分割手段を有し、前記顧客端末は、商品を注文するとき前記クレジットカード発行会社名とクレジットカードの種類と前記第一カード番号と個人情報と前記商品情報から選択した購入商品情報とを入力して前記通信販売会社に通知する手段と、商品を受け取ったとき前記第二カード番号と前記個人情報と前記管理番号とを入力して前記通信販売会社に通知する手段とを有し、前記サーバコンピュータは、顧客から購入商品の注文を受信したとき、前記決済コンピュータに対して前記第一カード番号と前記個人情報と前記購入商品情報とを送信し顧客の前記クレジットカードの利用の可否を照会する第一カード情報照会手段と、顧客から商品を受け取った通知を受信後、前記決済コンピュータに対して前記第二カード番号と前記個人情報と前記購入商品情報とを送信し顧客の前記クレジットカードの利用の可否を照会する第二カード情報照会手段とを有し、前記決済コンピュータは、前記第一カード情報照会手段に対して顧客の前記クレジットカードの利用の可否を判定する第一正否判定手段と、前記第二カード情報照会手段に対して顧客の前記クレジットカードの利用の可否を判定する第二正否判定手段とを有することを特徴とする通信販売システム。
【請求項３】
前記第一正否判定手段は、前記第一カード番号と前記個人情報とから前記クレジットカードの利用の可否を判定することを特徴とする請求項２記載の通信販売システム。
【請求項４】
前記第二正否判定手段は、前記第一カード番号と前記第二カード番号と前記個人情報とから前記クレジットカードの利用の可否を判定することを特徴とする請求項２記載の通信販売システム。
【請求項５】
前記個人情報は、顧客名と、住所と、電話番号とを有することを特徴とする請求項２、３、４の何れか１項記載の通信販売システム。
【請求項６】
前記顧客端末は、パーソナルコンピュータを有することを特徴とする請求項１または２記載の通信販売システム。
【請求項７】
前記通信手段は、インターネットを有することを特徴とする請求項１または２記載の通信販売システム。
【請求項８】
通信手段を介して互いに各種情報の授受を行なう顧客端末と商品販売者のバーチャルショップが開設された通信販売会社のサーバコンピュータとクレジットカード発行会社の決済コンピュータとによって行ない、顧客がクレジットカードを利用して商品を購入する通信販売方法であって、顧客は商品を購入する際、クレジットカード番号を第一カード番号と第二カード番号とに２分割し、前記顧客端末から商品を注文するとき前記第一カード番号を入力して前記通信販売会社に通知し、商品を受け取ったとき前記第二カード番号を入力して前記通信販売会社に通知することを特徴とする通信販売方法。
【請求項９】
通信手段を介して互いに各種情報の授受を行なう顧客端末と商品販売者のバーチャルショップが開設された通信販売会社のサーバコンピュータとクレジットカード発行会社の決済コンピュータとによって行ない、顧客がクレジットカードを利用して商品を購入する通信販売方法であって、前記サーバコンピュータは、各種商品の内容を包含した商品情報と、顧客の注文情報を管理する管理番号とを有し、前記顧客端末から商品を注文するとき、顧客は、クレジットカード番号を第一カード番号と第二カード番号とに２分割し、前記クレジットカード発行会社名とクレジットカードの種類と前記第一カード番号と個人情報と前記商品情報から選択した購入商品情報とを入力して前記通信販売会社に通知するステップと、顧客から購入商品の注文を受信した前記サーバコンピュータは、前記決済コンピュータに対して前記第一カード番号と前記個人情報と前記購入商品情報とを送信し顧客の前記クレジットカードの利用の可否を照会する第一カード情報照会のステップと、前記第一カード情報照会の結果前記クレジットカードが利用可能のとき、顧客に注文商品を送付するステップとを有し、商品を受け取ったとき顧客は前記顧客端末から前記第二カード番号と前記個人情報と前記管理番号と前記購入商品情報とを入力して前記通信販売会社に通知するステップとを有し、前記サーバコンピュータは、顧客から商品を受け取った通知を受信後、前記決済コンピュータに対して前記第二カード番号と前記個人情報と前記購入商品情報とを送信し顧客の前記クレジットカードの利用の可否を照会する第二カード情報照会のステップと有し、前記決済コンピュータは、前記第一カード情報照会に対して顧客の前記クレジットカードの利用の可否を判定する第一正否判定のステップと、前記第二カード情報照会に対して顧客の前記クレジットカードの利用の可否を判定する第二正否判定のステップとを有することを特徴とする通信販売方法。
【請求項１０】
前記決済コンピュータは、前記第一正否判定のステップでは、前記第一カード番号と前記個人情報とから前記クレジットカードの利用の可否を判定することを特徴とする請求項９記載の通信販売方法。
【請求項１１】
前記決済コンピュータは、前記第二正否判定のステップでは、前記第一カード番号と前記第二カード番号と前記個人情報とから前記クレジットカードの利用の可否を判定することを特徴とする請求項９記載の通信販売方法。
【請求項１２】
前記個人情報は、顧客名と、住所と、電話番号とを有することを特徴とする請求項８、９、１０の何れか１項記載の通信販売方法。
【請求項１３】
前記顧客端末は、パーソナルコンピュータを有することを特徴とする請求項８または９記載の通信販売方法。
【請求項１４】
前記通信手段は、インターネットを有することを特徴とする請求項８または９記載の通信販売方法。
【請求項１５】
通信販売システムを第一正否判定手段、第二正否判定手段、第一カード情報照会手段、第二カード情報照会手段として機能させるためのプログラム。
【発明の詳細な説明】
【０００１】
【発明の属する技術分野】
本発明は、通信販売システム、その方法、およびそのプログラムに関し、特に、顧客がクレジットカードを利用して通信販売により商品を購入する際、クレジットカード情報の第三者への漏洩の危険度を低減した通信販売システム、その方法、およびそのプログラムに関する。
【０００２】
【従来の技術】
従来、インターネットを介して、クレジットカードを用いて通信販売による商品の購入を行なう場合、利用者は、購入商品情報、個人情報、クレジットカード番号を含むクレジットカード情報をインターネット上で登録することにより、商品の購入を行っていた。
【０００３】
しかしながら、クレジットカード番号を全て入力することは、クレジットカード情報が容易に漏洩するという危険性が伴い、また、それを理由に、インターネットを介しての通信販売の利用を一般消費者が敬遠する要因となり、通信販売による商取引の利用者拡大の阻害要因になっている。
【０００４】
そこで、上記問題点を解決すべく、特開２００２ー４２０３６公報に開示の商品の代金決済方法では、クレジットカードを用いたオンラインショッピングで商品を購入しても、通信ネットワークや、商品の取り引きルートを経由してクレジット情報が漏洩することが無く、ショッピングサイトによる不正を確実に防止することができる技術が開示されている。
【０００５】
上記技術は、商品の買い手（顧客）は、予め顧客情報管理会社に、買い手の氏名と住所とクレジットカードのカード番号とを含むユーザー情報を登録し、顧客情報管理会社がユーザー情報に対応するＩＤを作成して買い手に通知し、買い手は、商品の取引過程では、ユーザー情報をＩＤで特定して用いることにより、カード番号が通信ネットワークを介した第三者や、ショッピングサイト、宅配業者の漏洩せず、クレジットカードの不正使用を防止するものである。
【０００６】
しかし、従来はカード番号を記憶しておくことなく、クレジットカードを参照すれば目視にて容易にカード番号を確認できるのに対し、上述の技術は、顧客は、商品購入の際、クレジットカードのカード番号の代替として顧客情報管理会社が付与するＩＤを使用するため、クレジットカードとは別に、ＩＤを記憶しておくなり、メモするなりしておく必要が生じるという欠点がある。
【０００７】
また、ユーザー情報を顧客情報管理会社に登録する故、顧客は、通信販売による商品の購入を行なう場合、新たに顧客情報管理会社の信用性、評判などを調査、認識する必要が生じるが、大多数の一般の顧客にとっては、信用性、評判などの確認が難しく、商取引を躊躇するケースがでてくるという欠点がある。
【０００８】
【発明が解決しようとする課題】
上述のように、クレジットカード情報を全てインターネット上で登録することにより、通信販売で商品の購入を行うことは、クレジットカード情報が容易に漏洩するという危険性が伴い、また、それを理由に、インターネットを介しての通信販売の利用を一般消費者が敬遠する要因となり、通信販売による商取引の利用者拡大の阻害要因になるという課題がある。
【０００９】
商品の買い手は、予め顧客情報管理会社に、買い手の氏名と住所とクレジットカードのカード番号とを含むユーザー情報を登録し、顧客情報管理会社がユーザー情報に対応するＩＤを作成して買い手に通知し、買い手は、商品の取引過程では、ユーザー情報をＩＤで特定して用いる技術は、顧客は、商品購入の際、クレジットカードのカード番号の代替として顧客情報管理会社が付与するＩＤを使用するため、クレジットカードとは別に、ＩＤを記憶しておくなり、メモするなりしておく必要が生じるという課題がある。
【００１０】
また、顧客が通信販売による商品の購入を行なう場合、新たにユーザー情報を登録する顧客情報管理会社の信用性、評判などを事前に調査、認識する必要が生じるが、信用性、評判などの確認は難しく、商取引を躊躇するケースがでてくるという課題がある。
【００１１】
本発明の目的は、顧客がクレジットカードを利用して通信販売により商品を購入する際、クレジットカード番号を第一カード番号と第二カード番号とに２分割し、顧客端末から商品を注文するとき、第一カード番号を入力して通信販売会社に通知し、商品を受け取ったとき、第二カード番号を入力して通信販売会社に通知することにより、クレジットカード情報の第三者への漏洩の危険度を低減した通信販売システム、その方法、およびそのプログラムを提供することにある。
【００１２】
【課題を解決するための手段】
本発明の通信販売システムは、通信手段を介して互いに各種情報の授受を行なう顧客端末と商品販売者のバーチャルショップが開設された通信販売会社のサーバコンピュータとクレジットカード発行会社の決済コンピュータとを有し、顧客がクレジットカードを利用して商品を購入する通信販売システムであって、顧客は、クレジットカード番号を第一カード番号と第二カード番号とに分割する２分割手段を有し、顧客端末は、商品を注文するとき第一カード番号を入力して通信販売会社に通知する手段と、商品を受け取ったとき第二カード番号を入力して通信販売会社に通知する手段とを有することを特徴とする。
【００１３】
本発明の通信販売システムは、通信手段を介して互いに各種情報の授受を行なう顧客端末と商品販売者のバーチャルショップが開設された通信販売会社のサーバコンピュータとクレジットカード発行会社の決済コンピュータとを有し、顧客がクレジットカードを利用して商品を購入する通信販売システムであって、サーバコンピュータは、各種商品の内容を包含した商品情報と、顧客の注文情報を管理する管理番号とを有し、顧客は、クレジットカード番号を第一カード番号と第二カード番号とに分割する２分割手段を有し、顧客端末は、商品を注文するときクレジットカード発行会社名とクレジットカードの種類と第一カード番号と個人情報と商品情報から選択した購入商品情報とを入力して通信販売会社に通知する手段と、商品を受け取ったとき第二カード番号と個人情報と管理番号とを入力して通信販売会社に通知する手段とを有し、サーバコンピュータは、顧客から購入商品の注文を受信したとき、決済コンピュータに対して第一カード番号と個人情報と購入商品情報とを送信し顧客のクレジットカードの利用の可否を照会する第一カード情報照会手段と、顧客から商品を受け取った通知を受信後、決済コンピュータに対して第二カード番号と個人情報と購入商品情報とを送信し顧客のクレジットカードの利用の可否を照会する第二カード情報照会手段とを有し、決済コンピュータは、第一カード情報照会手段に対して顧客のクレジットカードの利用の可否を判定する第一正否判定手段と、第二カード情報照会手段に対して顧客のクレジットカードの利用の可否を判定する第二正否判定手段とを有することを特徴とする。
【００１４】
第一正否判定手段は、第一カード番号と個人情報とからクレジットカードの利用の可否を判定することを特徴とする。
【００１５】
第二正否判定手段は、第一カード番号と第二カード番号と個人情報とからクレジットカードの利用の可否を判定することを特徴とする。
【００１６】
個人情報は、顧客名と、住所と、電話番号とを有することを特徴とする。
【００１７】
顧客端末は、パーソナルコンピュータを有することを特徴とする。
【００１８】
通信手段は、インターネットを有することを特徴とする。
【００１９】
本発明の通信販売方法は、通信手段を介して互いに各種情報の授受を行なう顧客端末と商品販売者のバーチャルショップが開設された通信販売会社のサーバコンピュータとクレジットカード発行会社の決済コンピュータとによって行ない、顧客がクレジットカードを利用して商品を購入する通信販売方法であって、顧客は商品を購入する際、クレジットカード番号を第一カード番号と第二カード番号とに２分割し、顧客端末から商品を注文するとき第一カード番号を入力して通信販売会社に通知し、商品を受け取ったとき第二カード番号を入力して前記通信販売会社に通知することを特徴とする。
【００２０】
本発明の通信販売方法は、通信手段を介して互いに各種情報の授受を行なう顧客端末と商品販売者のバーチャルショップが開設された通信販売会社のサーバコンピュータとクレジットカード発行会社の決済コンピュータとによって行ない、顧客がクレジットカードを利用して商品を購入する通信販売方法であって、サーバコンピュータは、各種商品の内容を包含した商品情報と、顧客の注文情報を管理する管理番号とを有し、顧客端末から商品を注文するとき、顧客は、クレジットカード番号を第一カード番号と第二カード番号とに２分割し、クレジットカード発行会社名とクレジットカードの種類と第一カード番号と個人情報と商品情報から選択した購入商品情報とを入力して通信販売会社に通知するステップと、顧客から購入商品の注文を受信したサーバコンピュータは、決済コンピュータに対して第一カード番号と個人情報と購入商品情報とを送信し顧客のクレジットカードの利用の可否を照会する第一カード情報照会のステップと、第一カード情報照会の結果クレジットカードが利用可能のとき、顧客に注文商品を送付するステップとを有し、商品を受け取ったとき顧客は顧客端末から第二カード番号と個人情報と管理番号と購入商品情報とを入力して通信販売会社に通知するステップとを有し、サーバコンピュータは、顧客から商品を受け取った通知を受信後、決済コンピュータに対して第二カード番号と個人情報と購入商品情報とを送信し顧客のクレジットカードの利用の可否を照会する第二カード情報照会のステップと有し、決済コンピュータは、第一カード情報照会に対して顧客のクレジットカードの利用の可否を判定する第一正否判定のステップと、第二カード情報照会に対して顧客のクレジットカードの利用の可否を判定する第二正否判定のステップとを有することを特徴とする。
【００２１】
決済コンピュータは、第一正否判定のステップでは、第一カード番号と個人情報とからクレジットカードの利用の可否を判定することを特徴とする。
【００２２】
決済コンピュータは、第二正否判定のステップでは、第一カード番号と第二カード番号と個人情報とからクレジットカードの利用の可否を判定することを特徴とする。
【００２３】
個人情報は、顧客名と、住所と、電話番号とを有することを特徴とする。
【００２４】
顧客端末は、パーソナルコンピュータを有することを特徴とする。
【００２５】
通信手段は、インターネットを有することを特徴とする。
【００２６】
本発明のプログラムは、通信販売システムを第一正否判定手段、第二正否判定手段、第一カード情報照会手段、第二カード情報照会手段として機能させることを特徴とする。
【００２７】
【発明の実施の形態】
次に、本発明の通信販売システムの一実施の形態について、図面を参照して説明する。
【００２８】
図１は、本発明の通信販売システム１の一実施の形態を示す概略構成ブロック図、図２は、クレジットカードを示す図、図３は、クレジットカード番号の２分割を説明するための図である。
【００２９】
図１〜図３を参照すると、通信販売システム１は、インターネット１００を介して互いに各種情報の授受を行なうパーソナルコンピュータを有する顧客端末１０と商品販売者のバーチャルショップが開設された通信販売会社のサーバコンピュータ２０とクレジットカード発行会社の決済コンピュータ３０とで構成され、顧客がクレジットカード４０を利用して商品を購入する通信販売システム１であって、サーバコンピュータ２０は、各種商品の内容を包含した商品情報２１と、顧客の注文情報を管理する管理番号２２とを有し、顧客は、クレジットカード番号４３を第一カード番号４３１と第二カード番号４３２とに分割する２分割手段を有し、顧客端末１０は、商品を注文するとき、クレジットカード発行会社名４２と、クレジットカードの種類４１と、第一カード番号４３１と、顧客の氏名４４と住所と電話番号とからなる個人情報と、商品情報２１から選択した購入商品情報とを入力して通信販売会社に通知する手段と、商品を受け取ったとき、第二カード番号４３２と、個人情報と、管理番号２２とを入力して通信販売会社に通知する手段とを有し、サーバコンピュータ２０は、顧客から購入商品の注文を受信したとき、決済コンピュータ３０に対して第一カード番号４３１と個人情報と購入商品情報とを送信し、顧客のクレジットカード４０の利用の可否を照会する第一カード情報照会手段２３と、顧客から商品を受け取った通知を受信後、決済コンピュータ３０に対して第二カード番号４３２と個人情報と購入商品情報とを送信し、顧客のクレジットカード４０の利用の可否を照会する第二カード情報照会手段２４とを有し、決済コンピュータ３０は、第一カード情報照会手段２３に対して顧客のクレジットカード４０の利用の可否を判定する第一正否判定手段３１と、第二カード情報照会手段２４に対して顧客のクレジットカード４０の利用の可否を判定する第二正否判定手段３２とを有する構成となっている。
【００３０】
次に、上述のように構成された通信販売システム１を使用して、クレジットカード４０を利用した商品の購入方法について、図面を参照して説明する。
【００３１】
図４は、通信販売方法を示すフローチャートである。
【００３２】
顧客がクレジットカード４０を利用して通信販売システム１により商品を購入するためには、顧客は、クレジットカード会社と契約時に、氏名、住所、電話番号、金融機関名、決済口座番号とを登録しておくことが前提となる。
【００３３】
図４を参照すると、顧客は、顧客端末１０から商品を注文するとき、商品注文手続を行なうが、このとき、図３に示すようにクレジットカード番号４３を第一カード番号４３１と第二カード番号４３２とに２分割し、第一カード番号４３１と、クレジットカード発行会社名４２と、クレジットカードの種類４１と、氏名４４と住所と電話番号（個人情報）と、商品情報２１から選択した購入商品情報とを入力して、通信販売会社のサーバコンピュータ２０に通知する（ステップ１１）。
【００３４】
なお、クレジットカード番号４３を２分割する方法は、図３（ａ）のように上８桁と下８桁とに２分割する方法、図３（ｂ）のように上１２桁と下４桁とに２分割する方法、図３（ｃ）のように上４桁と下１２桁とに２分割する方法の何れかの方法とする。
【００３５】
サーバコンピュータ２０は、顧客から購入商品の注文を受信し（ステップ２１）、決済コンピュータ３０に対して、第一カード番号４３１と個人情報と購入商品情報とを送信し、第一カード情報照会手段２３により顧客のクレジットカード４０の利用の可否を照会する（ステップ２２）。
【００３６】
決済コンピュータ３０は、顧客のクレジットカード４０の利用の可否照会のための情報を受信し（ステップ３１）、第一正否判定手段３１により利用可否を判定し（ステップ３２）、その結果をサーバコンピュータ２０に通知する（ステップ３３）。
【００３７】
ここで、第一正否判定手段３１は、第一カード番号４３１と個人情報とから顧客のクレジットカード４０の利用の可否を判定する。クレジットカード番号４３が分割された一部である第一カード番号４３１のみで全体のクレジットカード番号４３は無いが、第一カード番号４３１と個人情報とを組み合わせることで、クレジットカード４０の正否を確認できる。
【００３８】
第一カード情報照会の結果（ステップ２３）、クレジットカード４０が利用可能のとき、顧客に注文商品とその管理番号とを送付し（ステップ２４）、クレジットカード４０が利用不可のとき、利用できないその旨を通知する（ステップ２５）。
【００３９】
なお、顧客への注文商品とその管理番号との送付は、運送会社に依頼して配送を行なうが、その詳細は省略する。
【００４０】
顧客は、商品を受け取ると（ステップ１２）、商品受け取り通知と代金支払手続とを行なうが、このとき、顧客端末１０から第二カード番号４３２と、個人情報と、管理番号２２と、購入商品情報とを入力して、サーバコンピュータ２０に通知する（ステップ１３）。
【００４１】
サーバコンピュータ２０は、顧客から商品受け取り通知および代金支払手続情報を受信し（ステップ２６）、決済コンピュータ３０に対して、第二カード番号４３２と、個人情報と、購入商品情報（購入金額情報）とを送信し、第二カード情報照会手段２４により顧客のクレジットカード４０の利用の可否を照会する（ステップ２７）。
【００４２】
決済コンピュータ３０は、顧客のクレジットカード４０の利用の可否照会のための情報を受信し（ステップ３４）、第二正否判定手段３２により、第一カード番号４３１と第二カード番号４３２と個人情報とからクレジットカード４０の利用可否を判定し（ステップ３５）、クレジットカード４０の利用可の場合、商品の購入金額を通信販売会社に支払うと共に支払金額明細書を顧客に送付し（ステップ３６）、利用代金を顧客の金融機関の決済口座から引き落とし処理を行う（ステップ３７）。
【００４３】
上記（ステップ３５）において、クレジットカード４０の利用不可の場合、その旨をサーバコンピュータ２０に通知し（ステップ３８）、サーバコンピュータ２０は、利用不可の通知を受けるとその旨を顧客端末１０に通知する（ステップ２８）。
【００４４】
このとき、顧客は、既に商品を受け取っており、通信販売会社は、売上代金の受領ができない状態となるが、この後の対応処理は、両者間の折衝により決着をつけることになるが、詳細な説明は省略する。
【００４５】
上述のように、顧客がクレジットカード４０を利用して通信販売システム１により商品を購入する際、クレジットカード番号４３を第一カード番号４３１と第二カード番号４３２とに２分割し、顧客端末１０から商品を注文するとき、第一カード番号４３１を入力して通信販売会社に通知し、商品を受け取ったとき、第二カード番号４３２を入力して通信販売会社に通知することにより、クレジットカード４０情報の第三者への漏洩の危険度を低減することができるという効果がある。
【００４６】
【発明の効果】
以上説明したように、本発明の通信販売システムは、クレジットカードを用いてインターネット上の通信販売を利用する際に、商品を注文するときに全てのクレジットカード番号を登録せずに、クレジットカード番号を第一カード番号と第二カード番号とに２分割し、商品注文時に第一カード番号を通信販売会社に通知し、商品受け取り後に第二カード番号を通信販売会社に通知することにより、クレジットカード情報が第三者に容易に漏洩することを防止することができ、ユーザが安心してクレジットカードを用いたインターネット上の通信販売を利用できるようになるという効果がある。
【図面の簡単な説明】
【図１】本発明の通信販売システムの一実施の形態を示す概略構成ブロック図である。
【図２】クレジットカードを示す図である。
【図３】クレジットカード番号の２分割を説明するための図である。
【図４】本発明の通信販売方法を示すフローチャートである。
【符号の説明】
１　　通信販売システム
１０　　顧客端末
２０　　サーバコンピュータ
２１　　商品情報
２２　　管理番号
２３　　第一カード情報照会手段
２４　　第二カード情報照会手段
３０　　決済コンピュータ
３１　　第一正否判定手段
３２　　第二正否判定手段
４０　　クレジットカード
４１　　クレジットカードの種類
４２　　クレジットカード発行会社名
４３　　クレジットカード番号
４３１　　第一カード番号
４３２　　第二カード番号
１００　　インターネット
【図１】
2004030126.tif 000003
【図２】
2004030126.tif 000004
【図３】
2004030126.tif 000005
【図４】
2004030126.tif 000006
【手続補正書】
【提出日】平成14年8月14日(2002.8.14)
【手続補正１】
【補正対象書類名】明細書
【補正対象項目名】請求項１５
【補正方法】変更
【補正の内容】
【請求項１５】
サーバコンピュータを、顧客から購入商品の注文を受信したとき決済コンピュータに対して第一カード番号と個人情報と購入商品情報とを送信し顧客のクレジットカードの利用の可否を照会する第一カード情報照会手段、顧客から商品を受け取った通知を受信後前記決済コンピュータに対して第二カード番号と前記個人情報と前記購入商品情報とを送信し顧客の前記クレジットカードの利用の可否を照会する第二カード情報照会手段として機能させ、前記決済コンピュータを、前記第一カード情報照会手段に対して顧客の前記クレジットカードの利用の可否を判定する第一正否判定手段、前記第二カード情報照会手段に対して顧客の前記クレジットカードの利用の可否を判定する第二正否判定手段として機能させるためのプログラム。
【手続補正２】
【補正対象書類名】明細書
【補正対象項目名】００２６
【補正方法】変更
【補正の内容】
【００２６】
本発明のプログラムは、サーバコンピュータを、顧客から購入商品の注文を受信したとき決済コンピュータに対して第一カード番号と個人情報と購入商品情報とを送信し顧客のクレジットカードの利用の可否を照会する第一カード情報照会手段、顧客から商品を受け取った通知を受信後決済コンピュータに対して第二カード番号と個人情報と購入商品情報とを送信し顧客のクレジットカードの利用の可否を照会する第二カード情報照会手段として機能させ、決済コンピュータを、第一カード情報照会手段に対して顧客のクレジットカードの利用の可否を判定する第一正否判定手段、第二カード情報照会手段に対して顧客のクレジットカードの利用の可否を判定する第二正否判定手段として機能させることを特徴とする。